(57)【要約】【課題】受信特性を上げるために有効なパスに係る受信信号を優先的に復調して受信特性を高めることができるＣＤＭＡ受信装置を得ることを目的とする。【解決手段】遅延プロファイル取得部４により検出されたパス相互の相関を求め、その相関の度合に応じて復調対象のパスを選択するパス選択部５を設け、受信回路２の受信信号のうち、そのパス選択部５により選択されたパスに係る受信信号を復調する。即ち、遅延プロファイル取得部４により検出されたパスの中でレベルが最高のパスを復調対象として選択したのち、そのパスと相関の低いパスから優先的に復調対象として選択する。【選択図】        図１
2004215106.tif 000002
【特許請求の範囲】
【請求項１】
送信側から送信された電波を受信する受信手段と、上記受信手段の受信信号を逆拡散してマルチパス伝播環境下のパスを検出するパス検出手段と、上記パス検出手段により検出されたパス相互の相関を求め、その相関の度合に応じて復調対象のパスを選択するパス選択手段と、上記受信手段の受信信号のうち、上記パス選択手段により選択されたパスに係る受信信号を復調する復調手段とを備えたＣＤＭＡ受信装置。
【請求項２】
パス選択手段は、パス検出手段により検出されたパスの個数が復調可能なパス数を超えている場合、上記パス検出手段により検出されたパスの中でレベルが最高のパスを復調対象として選択したのち、そのパスと相関の低いパスから優先的に復調対象として選択することを特徴とする請求項１記載のＣＤＭＡ受信装置。
【請求項３】
パス選択手段は、一定時間毎に比較対象のパスのレベル比を算出して、最新のレベル比と前回のレベル比との差分を求め、その差分が小さい程、比較対象のパス間の相関が高いと判断することを特徴とする請求項１または請求項２記載のＣＤＭＡ受信装置。
【請求項４】
パス選択手段は、最新のレベル比と前回のレベル比との差分を一定期間積分し、その積分値と所定の閾値を比較して、比較対象のパス間の相関の高低を判断することを特徴とする請求項３記載のＣＤＭＡ受信装置。
【請求項５】
パス選択手段は、比較対象の一方のパスを遅延し、その遅延後のパスと比較対象の他方のパスを乗算する一方、比較対象の他方のパスを遅延し、その遅延後のパスと比較対象の一方のパスを乗算し、双方の乗算結果の差分を求め、その差分が小さい程、比較対象のパス間の相関が高いと判断することを特徴とする請求項１または請求項２記載のＣＤＭＡ受信装置。
【請求項６】
パス選択手段は、双方の乗算結果の差分を一定期間積分し、その積分値と所定の閾値を比較して、比較対象のパス間の相関の高低を判断することを特徴とする請求項５記載のＣＤＭＡ受信装置。
【請求項７】
復調手段から出力された復調データを用いて、前回、パス選択手段により選択されたパス相互の相関を求め、レベルが最高のパスと相関が最も高いパスを復調対象から除外するパス制限手段を設けたことを特徴とする請求項１から請求項６のうちのいずれか１項記載のＣＤＭＡ受信装置。
【請求項８】
パス選択手段は、復調対象のパスを選択する際、パス制限手段により復調対象から除外されたパスの優先順位を一定期間下げることを特徴とする請求項７記載のＣＤＭＡ受信装置。
【発明の詳細な説明】
【０００１】
【発明の属する技術分野】
この発明は、フィンガに割り当てるパスを選択する符号分割多重方式の受信装置（以下、ＣＤＭＡ受信装置という）に関するものである。
【０００２】
【従来の技術】
従来のＣＤＭＡ受信装置は、受信信号を逆拡散してマルチパス伝播環境下のパスを検出し、各パスのレベルを相互に比較する。
そして、レベルの高いパスから順番にフィンガに割り当て、所定の閾値よりレベルが低いパスはフィンガに割り当てないようにしている。
これにより、不要なフィンガの動作を止めて消費電力を小さくしている（以下の特許文献１を参照）。
【０００３】
【特許文献１】
特開２０００−１７４７２９公報（段落番号［００５４］から［０１３８］、図３）
【０００４】
【発明が解決しようとする課題】
従来のＣＤＭＡ受信装置は以上のように構成されているので、パスのレベルが低い場合、受信特性を上げるために有効なパスであってもフィンガに割り当てられず、受信特性を高めることができないことがある課題があった。
【０００５】
この発明は上記のような課題を解決するためになされたもので、受信特性を上げるために有効なパスに係る受信信号を優先的に復調して受信特性を高めることができるＣＤＭＡ受信装置を得ることを目的とする。
【０００６】
【課題を解決するための手段】
この発明に係るＣＤＭＡ受信装置は、パス検出手段により検出されたパス相互の相関を求め、その相関の度合に応じて復調対象のパスを選択するパス選択手段を設け、受信手段の受信信号のうち、そのパス選択手段により選択されたパスに係る受信信号を復調するようにしたものである。
【０００７】
【発明の実施の形態】
以下、この発明の実施の一形態を説明する。
実施の形態１．
図１はこの発明の実施の形態１によるＣＤＭＡ受信装置を示す構成図であり、図において、アンテナ１は送信側（例えば、基地局）から送信された電波を受信し、受信回路２は受信信号の増幅や復調等を実施する。なお、アンテナ１及び受信回路２から受信手段が構成されている。
サーチ部３は遅延プロファイル取得部４とパス選択部５から構成され、遅延プロファイル取得部４は受信回路２から出力された受信信号を逆拡散してマルチパス伝播環境下のパスを検出する。パス選択部５は遅延プロファイル取得部４により検出されたパス相互の相関を求め、その相関の度合に応じて復調対象のパスを選択する。なお、遅延プロファイル取得部４はパス検出手段を構成し、パス選択部５はパス選択手段を構成している。
【０００８】
制御部６はサーチ部３及びフィンガ部１０の制御を実施し、特にサーチ部制御部７はサーチ部３を制御し、フィンガ部制御部８はフィンガ部１０を制御する。記憶部９はパス選択部５により選択されたパスを記憶する。
フィンガ部１０はＭ個のフィンガ１０−１〜１０−Ｍを搭載し、フィンガ部制御部８の指示の下、フィンガ１０−１〜１０−Ｍがパス選択部５により選択されたパスに係る受信信号を復調する。ＲＡＫＥ受信部１１はフィンガ１０−１〜１０−Ｍから出力された復調データを合成する。信号処理部１２はＲＡＫＥ受信部１１により合成された復調データから音声信号やデータ等を復号する。なお、フィンガ部１０及びＲＡＫＥ受信部１１から復調手段が構成されている。
【０００９】
図２は遅延プロファイル取得部４の内部を示す構成図であり、図において、逆拡散符号発生部２１は送信側が送信信号を拡散する際に使用する拡散符号と同一の逆拡散符号を出力する。タイミング制御部２２は１スロット内のチップの個数（例えば、２５６個）だけ用意されている相関器２３−１〜２３−ｎに対して１チップの伝送時間だけずらしながら逆拡散符号を供給する。相関器２３−１〜２３−ｎは逆拡散符号発生部２１から出力された逆拡散符号を用いて、受信回路２から出力された受信信号を逆拡散してマルチパス伝播環境下のパスを検出する。即ち、相関器２３−１では遅延時間ｔ０のパス、相関器２３−２では遅延時間ｔ１のパス、相関器２３−３では遅延時間ｔ２のパス、相関器２３−ｎでは遅延時間ｔｎ−１のパスを検出する。
【００１０】
図３はパス選択部５の内部を示す構成図であり、図において、パス１次選択部３１は遅延プロファイル取得部４により検出されたパスのうち、予め設定されたレベル以上のパスを選択する。パス相関算出部３２はパス１次選択部３１により選択されたパス相互の相関を求める。パス２次選択部３３はパス１次選択部３１により選択されたパスの中でレベルが最高のパスを復調対象として選択したのち、そのパスと相関の低いパスから優先的に復調対象として選択する。
【００１１】
図４はパス相関算出部３２の内部を示す構成図であり、図において、除算器４１は比較対象のパスとしてパス＃Ａとパス＃Ｂを入力すると、パス＃Ａをパス＃Ｂで除算して、パス＃Ａとパス＃Ｂのレベル比を算出し、遅延部４２は除算器４１により算出されたレベル比を一定時間だけ保持してから出力する。差分検出部４３は除算器４１により算出された最新のレベル比と遅延部４２から出力された前回のレベル比との差分を求め、その差分値を出力する。積分器４４は差分検出部４３から出力された差分値を一定期間積分し、比較判定部４５は積分器４４による積分値と所定の閾値を比較して、パス＃Ａとパス＃Ｂの相関の高低を判断する。
【００１２】
図５はフィンガ１０−１〜１０−Ｍの内部を示す構成図であり、図において、逆拡散符号発生部５１は送信側が送信信号を拡散する際に使用する拡散符号と同一の逆拡散符号を出力する。制御チャネル逆拡散部５２は逆拡散符号発生部５１から出力された逆拡散符号を用いて、受信回路２から出力された受信信号を逆拡散して制御チャネルを検出する。伝送路推定部５３は制御チャネル逆拡散部５２により検出された制御チャネルを構成するパイロットシンボルを同相加算して、位相情報及び振幅情報から為る伝送路推定値を取得する。
【００１３】
データチャネル逆拡散部５４は逆拡散符号発生部５１から出力された逆拡散符号を用いて、受信回路２から出力された受信信号を逆拡散してデータチャネルを検出する。遅延部５５はデータチャネル逆拡散部５４により検出されたデータチャネルを一定時間（フィンガ部制御部８により割り当てられたパスに対応する遅延時間）だけ保持してから出力する。補償部５６は遅延部５５から出力されたデータチャネルの位相と振幅を伝送路推定部５３により取得された伝送路推定値で補償する。ＯＮ／ＯＦＦ制御部５７はフィンガ部制御部８からＯＮ指令を受けると、補償部５６により補償されたデータチャネルをＲＡＫＥ受信部１１に出力する。
【００１４】
図６は伝送フォーマットの一例を示す説明図であり、Ｗ−ＣＤＭＡ方式の上りで使用されているフォーマットの例である。
フレームが連続するものとして構成され、１つのフレームは１５のスロットから構成される。また、各スロットは制御チャネルとデータチャネルから構成される。制御チャネルは既知のデータであるパイロットシンボルと制御情報から構成される。
【００１５】
次に動作について説明する。
例えば、基地局が送信信号を拡散して電波を発信すると、色々な経路（パス）を伝播して送信信号がＣＤＭＡ受信装置のアンテナ１に到達する。
受信回路２は、アンテナ１が基地局から発信された電波を受信すると、その受信信号の増幅や復調等を実施する。
送信信号の伝播経路の数がフィンガ部１０に搭載されているフィンガの個数より少ない場合には、全てのパスを何れかのフィンガに割り当てるが、フィンガの個数より多い場合には、受信特性を上げるために有効なパスを優先的にフィンガに割り当てるようにする。具体的には下記の通りである。
【００１６】
サーチ部３の遅延プロファイル取得部４は、受信回路２から出力された受信信号を逆拡散してマルチパス伝播環境下のパスを検出する。
即ち、遅延プロファイル取得部４のタイミング制御部２２は１スロット内のチップの個数（例えば、２５６個）だけ用意されている相関器２３−１〜２３−ｎに対して１チップの伝送時間だけずらしながら逆拡散符号を供給する。相関器２３−１〜２３−ｎは逆拡散符号発生部２１から出力された逆拡散符号を用いて、受信回路２から出力された受信信号を逆拡散してマルチパス伝播環境下のパスを検出する。即ち、相関器２３−１では遅延時間ｔ０のパス、相関器２３−２では遅延時間ｔ１のパス、相関器２３−３では遅延時間ｔ２のパス、相関器２３−ｎでは遅延時間ｔｎ−１のパスを検出するとともに、遅延時間ｔ０〜ｔｎ−１に対応することによって、対応するパスのレベルを求める。
ここで、図７は遅延プロファイル取得部４により取得された遅延プロファイル（マルチパス伝播環境下のパス）の一例を示し、遅延時間ｔ０〜ｔｎ−１に対応するパスのレベルを表している。
【００１７】
パス選択部５は、遅延プロファイル取得部４が遅延時間ｔ０〜ｔｎ−１に対応するパスを検出すると、それらのパス相互の相関を求め、その相関の度合に応じて復調対象のパスを選択する。
即ち、パス選択部５のパス１次選択部３１は、遅延時間ｔ０〜ｔｎ−１に対応するパスのうち、予め設定されたレベル以上のパスを選択する。図７の例では、レベルが閾値を上回っている遅延時間ｔ１，ｔ３，ｔ６等に対応するパスを選択する。
パス選択部５のパス相関算出部３２は、パス１次選択部３１が予め設定されたレベル以上のパスを選択すると、次のようにして、パス相互の相関を求める。
例えば、パス＃Ａとパス＃Ｂの相関を求める場合、除算器４１がパス＃Ａをパス＃Ｂで除算して、パス＃Ａとパス＃Ｂのレベル比を算出し、遅延部４２が除算器４１により算出されたレベル比を一定時間だけ保持してから出力する。
【００１８】
差分検出部４３は、除算器４１により算出された最新のレベル比と遅延部４２から出力された前回のレベル比との差分を求め、その差分値を出力する。その差分値が小さい程、パス＃Ａとパス＃Ｂの相関が高く、その差分値が大きい程、パス＃Ａとパス＃Ｂの相関が低いことなる。
積分器４４は、差分検出部４３から出力された差分値を一定期間積分し、比較判定部４５は、積分器４４による積分値と所定の閾値を比較し、その積分値が所定の閾値より小さければ、パス＃Ａとパス＃Ｂの相関が高いと判断する。一方、その積分値が所定の閾値より大きければ、パス＃Ａとパス＃Ｂの相関が低いと判断する。
【００１９】
パス選択部５のパス２次選択部３３は、パス相関算出部３２がパス相互の相関を求めると、最初に、パス１次選択部３１により選択されたパスの中でレベルが最高のパスを復調対象として選択する。図７の例では、遅延時間ｔ１に対応するパスを復調対象として選択する。
そして、パス２次選択部３３は、レベルが最高のパス（遅延時間ｔ１に対応するパス）と、パス１次選択部３１により選択された他のパス（遅延時間ｔ３，ｔ６等に対応するパス）との相関をチェックし、相関の低いパスから優先的に復調対象として選択する。
ここで、図８は遅延プロファイルの時間的な変動を示しており、図８では、パス＃Ａ、パス＃Ｂ、パス＃Ｃの時間的な変動を示している。
パス＃Ｂはパス＃Ｃよりも平均レベルが大きいが、パス＃Ａとパス＃Ｂはレベル変化が同じような動きとなっていて相関が大きい。このため、パス＃Ｂを選択するよりはパス＃Ｃを選択する方が、受信特性が向上する可能性が高いので、パス＃Ｃを選択する。
【００２０】
制御部６のフィンガ部制御部８は、記憶部９にパス選択部５により選択されたパスが記憶されるので、その記憶部９の記憶内容を参照して、パス選択部５により選択されたパスをフィンガ１０−１〜１０−Ｍに割り当てるとともに、そのフィンガ１０−１〜１０−ＭのＯＮ／ＯＦＦ制御部５７にＯＮ指令を出力する。
ただし、パス選択部５により選択されたパスの個数がフィンガ１０−１〜１０−Ｍの個数に満たない場合は、パスを割り当てたフィンガのＯＮ／ＯＦＦ制御部５７にのみＯＮ指令を出力する。
【００２１】
フィンガ部１０のフィンガ１０−１〜１０−Ｍは、フィンガ部制御部８によりパスが割り当てられると、そのパスに係る受信信号を復調する。
即ち、フィンガ１０−１〜１０−Ｍの制御チャネル逆拡散部５２は、逆拡散符号発生部５１から出力された逆拡散符号を用いて、受信回路２から出力された受信信号を逆拡散して制御チャネルを検出し、伝送路推定部５３は、制御チャネル逆拡散部５２により検出された制御チャネルを構成するパイロットシンボルを同相加算して、位相情報及び振幅情報から為る伝送路推定値を取得する。
【００２２】
一方、フィンガ１０−１〜１０−Ｍのデータチャネル逆拡散部５４は、逆拡散符号発生部５１から出力された逆拡散符号を用いて、受信回路２から出力された受信信号を逆拡散してデータチャネルを検出し、遅延部５５はデータチャネル逆拡散部５４により検出されたデータチャネルを一定時間だけ保持してから出力する。即ち、遅延部５５は、フィンガ部制御部８により割り当てられたパスに対応する遅延時間だけデータチャネルを保持して出力する。
そして、フィンガ１０−１〜１０−Ｍの補償部５６は、遅延部５５から出力されたデータチャネルの位相と振幅を伝送路推定部５３により取得された伝送路推定値で補償し、ＯＮ／ＯＦＦ制御部５７は、フィンガ部制御部８からＯＮ指令を受けると、補償部５６により補償されたデータチャネルをＲＡＫＥ受信部１１に出力する。
【００２３】
ＲＡＫＥ受信部１１は、フィンガ１０−１〜１０−Ｍから複数の復調データを受けると、複数の復調データを合成する。
信号処理部１２は、ＲＡＫＥ受信部１１が複数の復調データを合成すると、合成後の復調データから音声信号やデータ等を復号する。
【００２４】
以上で明らかなように、この実施の形態１によれば、遅延プロファイル取得部４により検出されたパス相互の相関を求め、その相関の度合に応じて復調対象のパスを選択するパス選択部５を設け、受信回路２の受信信号のうち、そのパス選択部５により選択されたパスに係る受信信号を復調するように構成したので、受信特性を上げるために有効なパスに係る受信信号を復調することができるようになり、その結果、受信特性を高めることができる効果を奏する。
【００２５】
この実施の形態１によれば、遅延プロファイル取得部４により検出されたパスの個数が復調可能なパス数を超えている場合、遅延プロファイル取得部４により検出されたパスの中でレベルが最高のパスを復調対象として選択したのち、そのパスと相関の低いパスから優先的に復調対象として選択するように構成したので、レベルが低いパスであっても、受信特性を上げるために有効なパスを復調対象として選択することができる効果を奏する。
【００２６】
この実施の形態１によれば、一定時間毎に比較対象のパスのレベル比を算出して、最新のレベル比と前回のレベル比との差分を求め、その差分が小さい程、比較対象のパス間の相関が高いと判断するように構成したので、構成の複雑化を招くことなく、比較対象のパス間の相関を判断することができる効果を奏する。
この実施の形態１によれば、最新のレベル比と前回のレベル比との差分を一定期間積分し、その積分値と所定の閾値を比較して、比較対象のパス間の相関の高低を判断するように構成したので、突発的なノイズが受信信号に重畳されても、正確にパス間の相関を判断することができる効果を奏する。
【００２７】
実施の形態２．
図９はこの発明の実施の形態２によるＣＤＭＡ受信装置におけるパス相関算出部３２の内部を示す構成図であり、図において、遅延部６１はパス＃Ａを一定時間だけ保持してから出力し、遅延部６２はパス＃Ｂを一定時間だけ保持してから出力する。乗算器６３は遅延部６１から出力された遅延後のパス＃Ａとパス＃Ｂを乗算し、乗算器６４は遅延部６２から出力された遅延後のパス＃Ｂとパス＃Ａを乗算する。
差分検出部６５は乗算器６３の乗算結果と乗算器６４の乗算結果との差分を求め、その差分値を出力する。積分器６６は差分検出部６５から出力された差分値を一定期間積分し、比較判定部６７は積分器６６による積分値と所定の閾値を比較して、パス＃Ａとパス＃Ｂの相関の高低を判断する。
【００２８】
上記実施の形態１では、最新のレベル比と前回のレベル比との差分を求め、その差分が小さい程、比較対象のパス間の相関が高いと判断するものについて示したが、乗算器６３が遅延部６１から出力された遅延後のパス＃Ａとパス＃Ｂを乗算し、乗算器６４が遅延部６２から出力された遅延後のパス＃Ｂとパス＃Ａを乗算し、乗算器６３の乗算結果と乗算器６４の乗算結果との差分を求め、その差分が小さい程、比較対象のパス間の相関が高いと判断するようにしてもよく、上記実施の形態１と同様の効果を奏することができる。
【００２９】
実施の形態３．
図１０はこの発明の実施の形態３によるＣＤＭＡ受信装置を示す構成図であり、図において、図１と同一符号は同一又は相当部分を示すので説明を省略する。相関検出部１３はフィンガ１０−１〜１０−Ｍから出力された復調データ相互の相関を検出する。フィンガ部制御部１４はパス選択部５により選択されたパスをフィンガ１０−１〜１０−Ｍに割り当てる一方、レベルが最高のパスに対応する復調データと相関が最も高い復調データに係るパスを復調対象から除外する。なお、相関検出部１３及びフィンガ部制御部１４からパス制限手段が構成されている。
【００３０】
上記実施の形態１，２では、フィンガ部制御部８がパス選択部５により選択されたパスをフィンガ１０−１〜１０−Ｍに割り当てるものについて示したが、受信特性を上げるために余り有効でないパスをフィンガに割り当てず、フィンガ部１０の消費電力を低減するようにしてもよい。
即ち、フィンガ部制御部１４がパス選択部５により選択されたパスをフィンガ１０−１〜１０−Ｍに割り当てることにより、フィンガ１０−１〜１０−Ｍが復調データを出力すると、相関検出部１３は、フィンガ１０−１〜１０−Ｍから出力された復調データ相互の相関を検出する。復調データ相互の相関検出は、パス相関算出部３２がパス相互の相関を求める場合と同様に行う。あるいは、伝送路推定部５３により取得された伝送路推定値を用いて復調データ間の相関を検出する。
【００３１】
フィンガ部制御部１４は、相関検出部１３が復調データ間の相関を検出すると、レベルが最高のパスに対応する復調データと相関が最も高い復調データに係るパスを復調対象から除外する。
例えば、フィンガ１０−１〜１０−４にパスが割り当てられている場合において、フィンガ１０−１に割り当てられているパスのレベルが最も高く、フィンガ１０−２〜１０−４から出力された復調データの中で、フィンガ１０−１から出力された復調データとの相関が最も高い復調データが、フィンガ１０−４から出力された復調データである場合、フィンガ１０−４に割り当てられているパスを復調対象から除外する。
【００３２】
したがって、以後、フィンガ１０−１〜１０−３から復調データが出力されるが、フィンガ１０−４からは復調データが出力されなくなる。
この実施の形態３によれば、受信特性を上げるために余り有効でないパスを復調対象から除外するので、受信特性の劣化を招くことなく、フィンガ部１０の消費電力を低減することができる効果を奏する。
【００３３】
実施の形態４．
上記実施の形態３では、特に言及していないが、相関が最も高い復調データに係るパスを復調対象から除外しても、次回のサーチ処理において、パス選択部５が当該パスを復調対象のパスとして選択すると、そのパスがフィンガに割り当てられることなる。
しかし、フィンガ部制御部１４があるパスを復調対象から除外すると、パス選択部５が当該パスの優先順位を一定期間下げて、他のパスよりも選択されづらいようにしてもよい。
これにより、受信特性を上げるために余り有効でないパスを復調対象から除外する処理の回数を減らすことができる効果を奏する。
【００３４】
【発明の効果】
以上のように、この発明によれば、パス検出手段により検出されたパス相互の相関を求め、その相関の度合に応じて復調対象のパスを選択するパス選択手段を設け、受信手段の受信信号のうち、そのパス選択手段により選択されたパスに係る受信信号を復調するように構成したので、受信特性を上げるために有効なパスに係る受信信号を復調することができるようになり、その結果、受信特性を高めることができる効果がある。
【図面の簡単な説明】
【図１】この発明の実施の形態１によるＣＤＭＡ受信装置を示す構成図である。
【図２】遅延プロファイル取得部の内部を示す構成図である。
【図３】パス選択部の内部を示す構成図である。
【図４】パス相関算出部の内部を示す構成図である。
【図５】フィンガの内部を示す構成図である。
【図６】伝送フォーマットの一例を示す説明図である。
【図７】遅延プロファイル取得部により取得された遅延プロファイルの一例を示す説明図である。
【図８】遅延プロファイルの時間的な変動を示す説明図である。
【図９】この発明の実施の形態２によるＣＤＭＡ受信装置におけるパス相関算出部の内部を示す構成図である。
【図１０】この発明の実施の形態３によるＣＤＭＡ受信装置を示す構成図である。
【符号の説明】
１  アンテナ（受信手段）、２  受信回路（受信手段）、３  サーチ部、４  遅延プロファイル取得部（パス検出手段）、５  パス選択部（パス選択手段）、６  制御部、７  サーチ部制御部、８  フィンガ部制御部、９  記憶部、１０  フィンガ部（復調手段）、１０−１〜１０−Ｍ  フィンガ、１１  ＲＡＫＥ受信部（復調手段）、１２  信号処理部、１３  相関検出部（パス制限手段）、１４フィンガ部制御部（パス制限手段）、２１  逆拡散符号発生部、２２  タイミング制御部、２３−１〜２３−ｎ  相関器、３１  パス１次選択部、３２  パス相関算出部、３３  パス２次選択部、４１  除算器、４２  遅延部、４３  差分検出部、４４  積分器、４５  比較判定部、５１  逆拡散符号発生部、５２  制御チャネル逆拡散部、５３  伝送路推定部、５４  データチャネル逆拡散部、５５  遅延部、５６  補償部、５７  ＯＮ／ＯＦＦ制御部、６１  遅延部、６２  遅延部、６３  乗算器、６４  乗算器、６５  差分検出部、６６  積分器、６７
比較判定部。
【図１】
2004215106.tif 000003
【図２】
2004215106.tif 000004
【図３】
2004215106.tif 000005
【図４】
2004215106.tif 000006
【図５】
2004215106.tif 000007
【図６】
2004215106.tif 000008
【図７】
2004215106.tif 000009
【図８】
2004215106.tif 000010
【図９】
2004215106.tif 000011
【図１０】
2004215106.tif 000012